(57)【要約】      （修正有）【課題】メガネ付きイヤホンを提供する。【解決手段】２つのイヤホン本体１０と、メガネヘッドバンド２０とを含む。イヤホン本体１０の外側端面には突出部１１が設けられ、突出部１１の周縁には結合歯１２が設けられている。メガネヘッドバンド２０は、メガネフレーム２１を有し、メガネフレーム２１の２側縁には延長片２５が設けられ、延長片２５の下端にはリング２８が設けられ、リング２８の内周縁２８１には結合歯２９が設けられている。リング２８は、イヤホン本体１０の突出部１１に環設されており、リング内周縁２８１の結合歯２９がイヤホン本体１０の結合歯１２と結合されることで、リング２８と突出部１１との間は相対的に回動可能である。これにより、ユーザは、イヤホン装着の同時にメガネを使用可能である。【選択図】図１
0003202255.tif 000002
【実用新案登録請求の範囲】
【請求項１】
外側端面に突出部がそれぞれ設けられ、該突出部の周縁に結合歯が設けられている２つのイヤホン本体と、
メガネフレームと２つの延長片とを有し、該メガネフレームの上にレンズが設けられ、該メガネフレームの２つの側縁には伸縮片が設けられ、各伸縮片の末端には止めブロックが設けられ、各延長片の内部には挟み溝が設けられ、かつ外表面には位置制限溝が設けられ、各伸縮片は、該挟み溝に挿入され、各伸縮片の止めブロックは、該位置制限溝内に露出しており、各延長片の下端にはリングが設けられ、該リングの内周縁には結合歯が設けられ、各リングは、イヤホン本体に対応する突出部周縁に環設され、各リングの結合歯は、イヤホン本体に対応する結合歯と結合され、これにより該リングは外力が適宜に印加されることで該２つのイヤホン本体に対して回動するメガネヘッドバンドと、
を備えることを特徴とするメガネ付きイヤホン。
【請求項２】
該メガネヘッドバンドのメガネフレーム及びメガネの形態は、日差し遮断の太陽メガネ、視力矯正の近視メガネ、または単純な美観造形の平面メガネであることを特徴とする請求項１に記載のメガネ付きイヤホン。
【考案の詳細な説明】
【技術分野】
【０００１】
本考案は、イヤホンに関し、特に頭掛け式耳覆い型イヤホンに関するものであり、このイヤホンにより、ユーザは装着時においてもメガネを利用可能な機能を有する。
【背景技術】
【０００２】
音楽ファイルデジタル化の発展に伴い、音楽ファイルを再生可能な電子プレイヤー、例えばＭＰ３、ＭＰ４、ＰＤＡ、携帯電話等、多様化かつコンパクト化している。外出しているとき、誰でもプレイヤーによる音楽再生機能を介して音楽を聴くことができる。さらに、音質を楽しみながら他人に迷惑を掛けないようにするためには、プレイヤーは、イヤホンと組み合わせて使用するのが一般的であり、音源がイヤホンを介して音楽が出力される。市販のイヤホン形態には、一般的には、耳栓型、耳掛け型、耳覆い型等がある。通常、耳覆い型イヤホンは、耳を完全に覆うことで、音源がイヤホンを介して発声した場合に音漏れやノイズの発生を回避することができる。さらに、従来のイヤホンの発音構造が可動コイル型スピーカーであり、耳覆い型イヤホンが比較的に大きい体積を有するため、可動コイル型スピーカーは、ハウジング内に対応する音室が形成可能であり、音声効果及び音声フィールドの品質が向上する。従って、耳覆い型イヤホンは、前記各種類のうち、もっとも音質を表現できるイヤホンである。
【０００３】
従来の耳覆い型イヤホンの構造は、２つの耳覆いスピーカーの上方にヘッドバンド状の接続片が接続されており、接続片は、一般的には挟持弾性を有し、伸縮調整可能であるように構成されている。使用の際には、音楽を聴くために、２つの耳覆いスピーカを耳に被覆し、接続片を頭にまたがって装着し、適当な長さに調整することができる。ただし、耳覆い型イヤホンを使用した場合、ユーザの耳が耳覆い型スピーカーによって被覆されるため、メガネ（太陽メガネ、近視メガネまたはその他の平面の造形メガネ）の装着ができなくなることがあり、メガネ装着の必要性のあるユーザは、耳覆い型イヤホンを選択して音楽を聴くことができない。音質表現を要求するユーザにとっては、実に使用上の重大な問題点である。また、従来の耳覆い型イヤホンの構造は、旧型かつ杓子定規であるため、消費者の購買意欲を掻き立てるのが困難である。
【考案の概要】
【考案が解決しようとする課題】
【０００４】
そこで、本考案は、従来の耳覆い型イヤホンでは使用の際に同時にメガネを装着できないという不具合を解決するためのメガネ付きイヤホンを提供することを目的とする。当該イヤホンが耳覆いに対して角度を変更可能なメガネフレームを有するため、ユーザはイヤホン装着と同時にメガネを使用可能である。
【課題を解決するための手段】
【０００５】
本考案に係るメガネ付きイヤホンは、２つのイヤホン本体と、メガネヘッドバンドとを含む。該イヤホン本体には耳を覆い、音源を出力する耳覆いが設けられ、耳覆いの外側端面には突出部が設けられ、該突出部の周縁には結合歯が設けられている。該メガネヘッドバンドは、メガネフレームを有し、該メガネフレームの２側縁には伸縮片が設けられ、各伸縮片の末端は、延長片に収容され、延長片の下端にはリングが設けられ、該リングの内周縁の全部または一部には結合歯が設けられている。該リングは、該イヤホン本体の突出部に環設されており、リング内周縁の結合歯とイヤホン本体の結合歯とは歯合に形成される。該リングが該突出部に対して回動し該メガネヘッドバンドの角度を変更可能であるため、該メガネヘッドバンドは、ユーザの頭上またはユーザの目に対応する位置に装着することができる。
【考案の効果】
【０００６】
本考案にメガネ付きイヤホンによれば、ユーザは耳覆い型イヤホンの装着と同時にメガネを使用可能である。また、該イヤホンが新規、ファッションの流行的な美感を同時に有するため、商品競争力の向上には大きく寄与している。
【図面の簡単な説明】
【０００７】
【図１】本考案に係るイヤホンの立体図であり、イヤホン本体がリングと分離した様子を示す図である。
【図２】図１のイヤホンの平面模式図である。
【図３】図２のメガネヘッドバンドの調整模式図である。
【図４】図１のイヤホンのメガネのイヤホン本体に対する調整角度の模式図である。
【図５】ユーザが本考案に係るイヤホンを装着する使用模式図である。
【考案を実施するための形態】
【０００８】
図１ないし図５に示すように、本考案に係るイヤホンは、２つのイヤホン本体１０と、メガネヘッドバンド２０とを含む。イヤホン本体１０は、音楽を聴くために、音源を出力し、ユーザの耳を被覆する耳覆い１０１を有する。イヤホン本体１０は、さらに、耳覆いの外側端面に位置する突出部１１を有し、突出部１１は、環状周縁１１１を有し、少なくとも一部の周縁１１１の上には波浪状の結合歯１２と、外端に位置する突出した止め部１３とが設けられている。メガネヘッドバンド２０は、メガネフレーム２１と、メガネフレーム２１に設けられた２つのレンズ２２とが設けられている。メガネフレーム２１の２つの側縁からは、それぞれ外方へ伸縮片２３が延在され、各伸縮片２３の末端には止めブロック２４が設けられている。
【０００９】
本考案に係るイヤホンは、さらに、２つの延長片２５を有し、各延長片２５は、第１の端２５１と第２の端２５２とを有し、各延長片２５の内部には挟み溝２６が設けられ、各延長片２５の外表面には挟み溝２６と貫通した位置制限溝２７が設けられている。メガネフレーム２１の２つの伸縮片２３は、緊密に第１の端２５１から２つの延長片２５の挟み溝２６に挿入され、伸縮片２３の止めブロック２４は、位置制限溝２７内に露出している。伸縮片２３に適当な力を印加すると、伸縮片２３が挟み溝２６内に移動することができる。止めブロック２４が伸縮片２３の移動時の距離を制限すると、伸縮片２３は、挟み溝２６から離脱して抜けることはない。さらに、各延長片２５の第２の端２５２にはリング２８が設けられ、各リング２８には内周縁２８１が設けられ、内周縁２８１の少なく一部には波浪状の結合歯２９が設けられている。イヤホン本体１０の突出部１１は、リング２８内に収容されている。このように、イヤホン本体１０の突出部１１の結合歯１２と、リング２８の結合歯２９とが密着接合される。また、止めブロック２４は、突出部１１とリング２８との分離を防止可能である。イヤホン本体１０に適当な力を印加すると、リング２８は、イヤホン本体１０の突出部１１に対して回動可能である。
【００１０】
本考案に係る伸縮片２３が緊密に延長片２５の挟み溝２６内に挿入されることで、伸縮片２３は、延長片２５に対して移動可能であり、メガネヘッドバンド２０のイヤホン本体１０に対する高さ寸法を調整可能である（図２、３参照）。さらに、リング２８が結合歯１２、２９の結合によりイヤホン本体１０の突出部１１の周縁に緊密に環設されることで、メガネヘッドバンド２０は、イヤホン本体１０に対してメガネフレーム２１の角度を調整可能である（図４の矢印４０参照）。
【００１１】
図５に示すように、ユーザが本考案に係るイヤホンを装着すると、２つのイヤホン本体１０は、耳に被覆され、メガネヘッドバンド２０がユーザ３０の頭上に装着され、伸縮片２３と延長片２５との間の調整可能特性により、ユーザは、心地よく装着できる寸法に調整可能であり、イヤホン本体１０によりユーザが音楽を聴くための音源を出力する。また、ユーザがメガネの使用を必要としているときに、メガネヘッドバンド２０に対して適当な力を印加することで、メガネヘッドバンド２０が下方へ９０度回動し、メガネフレーム２１は、ユーザ３０の目の位置に対応し、メガネヘッドバンド２０は、メガネとして使用可能である。
【００１２】
ここで注意すべき点は、メガネヘッドバンド２０のメガネフレーム２１及びレンズ２２の形態は、市販の各種のメガネの形状に倣って設計することができる。その用途は、日差し遮断、視力矯正、または単純な美観の造形応用である。即ち、メガネフレーム２１及びレンズ２２は、日差し遮断の太陽メガネ、視力矯正の近視メガネまたは単純な美観造形である平面メガネであってもよい。
【００１３】
本考案に係るイヤホンによれば、ユーザは、耳覆い型イヤホンの装着と同時にメガネを使用可能であり、イヤホンは、新規、ファッション、従来と異なる流行的な美感を有し、さらに市場競争力に優れ、産業上の利用価値を有する。
【００１４】
以上のように、本考案では、外側端面に突出部がそれぞれ設けられ、該突出部の周縁に結合歯が設けられている２つのイヤホン本体と、メガネフレームと２つの延長片とを有し、該メガネフレームの上にレンズが設けられ、該メガネフレームの２つの側縁には伸縮片が設けられ、各伸縮片の末端には止めブロックが設けられ、各延長片の内部には挟み溝が設けられ、かつ外表面には位置制限溝が設けられ、各伸縮片は、該挟み溝に挿入され、各伸縮片の止めブロックは、該位置制限溝内に露出しており、各延長片の下端にはリングが設けられ、該リングの内周縁には結合歯が設けられ、各リングは、イヤホン本体に対応する突出部周縁に環設され、各リングの結合歯は、イヤホン本体に対応する結合歯と結合され、これにより該リングは外力が適宜に印加されることで該２つのイヤホン本体に対して回動するメガネヘッドバンドと、を備えることを特徴とするメガネ付きイヤホンとするものである。
【００１５】
また、該メガネヘッドバンドのメガネフレーム及びメガネの形態は、日差し遮断の太陽メガネ、視力矯正の近視メガネ、または単純な美観造形の平面メガネであるものとする。
【産業上の利用可能性】
【００１６】
本考案にメガネ付きイヤホンによれば、ユーザは耳覆い型イヤホンの装着と同時にメガネを使用可能である。また、該イヤホンが新規、ファッションの流行的な美感を同時に有するため、商品競争力の向上には大きく寄与している。
【符号の説明】
【００１７】
１０  イヤホン本体
１０１  耳覆い
１１  突出部
１１１  周縁
１２  結合歯
１３  止め部
２０  メガネヘッドバンド
２１  メガネフレーム
２２  レンズ
２３  伸縮片
２４  止めブロック
２５  延長片
２５１  第１の端
２５２  第２の端
２６  挟み溝
２７  位置制限溝
２８  リング
２８１  内周縁
２９  結合歯
３０  ユーザ
４０  矢印
【図１】
0003202255.tif 000003
【図２】
0003202255.tif 000004
【図３】
0003202255.tif 000005
【図４】
0003202255.tif 000006
【図５】
0003202255.tif 000007